【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
小規模セルの送信電力を調整するための方法であって、
前記セルにおける少なくとも1つのアクセス端末移動性を表す少なくとも1つの移動性メトリックの値を決定するステップと、
前記少なくとも1つの移動性メトリックの前記値が許容可能かどうかを判定するステップと、
前記少なくとも1つの移動性メトリックの前記値が許容不可能であると判定したことに応じて、前記セルの前記送信電力を増大させるステップと、
前記セルにある少なくとも1つのアクセス端末によって体験した干渉を表す少なくとも1つの干渉メトリックの値を決定するステップと、
前記セルの前記送信電力を増大させるステップの後に、前記少なくとも1つの干渉メトリックの前記値が許容可能かどうかを判定するステップと
前記少なくとも1つの干渉メトリックの前記値が許容不可能でありかつ前記少なくとも1つの移動性メトリックの前記値が許容可能であると判定したことに応じて、前記少なくとも1つの移動性メトリックの前記値が許容可能のままである間は前記セルの前記送信電力を低減するステップと
を含む方法。
【請求項２】
前記少なくとも1つの移動性メトリックの前記値が許容可能かどうかを判定する前記ステップは、前記少なくとも1つの移動性メトリックの前記値を第2のしきい値と比較するステップを含む、請求項1に記載の方法。
【請求項３】
前記少なくとも1つの移動性メトリックの前記値および前記少なくとも1つの干渉メトリックの前記値が所定の時間期間にわたって決定される、請求項1に記載の方法。
【請求項４】
前記少なくとも1つの移動性メトリックの前記値は、少なくとも1つのセルで複数回生じるようなセル変更を実行するアクセス端末の数または比率に基づく、請求項1に記載の方法。
【請求項５】
前記少なくとも1つの移動性メトリックは、前記セルにおける接続障害またはハンドオーバ障害の数のうちの1つまたは複数と、前記セルによってサービス提供を受けるアクセス端末の数とのうちの少なくとも1つに基づく、請求項1に記載の方法。
【請求項６】
前記少なくとも1つの干渉メトリックは、信号対干渉プラス雑音比(SINR)に基づく、請求項1に記載の方法。
【請求項７】
前記セルの前記送信電力を増大させるステップは、前記セルの前記少なくとも1つの移動性メトリックの前記値が許容可能となるまで前記セルの前記送信電力を増大させ、次いで一定の送信電力を維持するステップを含む、請求項1に記載の方法。
【請求項８】
前記セルの前記送信電力を低減する前記ステップは、1つまたは複数のアクセス端末を隣接するセルにハンドオーバするステップをさらに含む、請求項1に記載の方法。
【請求項９】
小規模セルの送信電力を調整するための装置であって、
データを記憶するように構成される、メモリと、
前記メモリに通信可能なように接続された、少なくとも1つのプロセッサと
を備え、
前記少なくとも1つのプロセッサは、前記メモリ内の前記データを処理して、    前記セルにおける少なくとも1つのアクセス端末移動性を表す少なくとも1つの移動性メトリックの値を決定し、
前記少なくとも1つの移動性メトリックの前記値が許容可能かどうかを判定し、
前記少なくとも1つの移動性メトリックの前記値が許容不可能であると判定したことに応じて、前記セルの前記送信電力を増大させ、
前記セルにある少なくとも1つのアクセス端末によって体験した干渉を表す少なくとも1つの干渉メトリックの値を決定し、
前記少なくとも1つの干渉メトリックの前記値が許容可能かどうかを判定し、
前記少なくとも1つの干渉メトリックの前記値が許容不可能でありかつ前記少なくとも1つの移動性メトリックの前記値が許容可能であると判定したことに応じて、前記少なくとも1つの移動性メトリックの前記値が許容可能のままである間は前記セルの前記送信電力を低減する
命令を行うように構成される、電力調整コンポーネントと
を備える装置。
【請求項１０】
前記少なくとも1つの移動性メトリックの前記値が許容可能かどうかを判定するために、前記少なくとも1つのプロセッサは前記少なくとも1つの移動性メトリックの前記値を第2のしきい値と比較するように構成される、請求項9に記載の装置。
【請求項１１】
前記プロセッサは、前記少なくとも1つの移動性メトリックの前記値および前記少なくとも1つの干渉メトリックの前記値を所定の時間期間にわたって決定するように構成される、請求項9に記載の装置。
【請求項１２】
前記少なくとも1つのプロセッサは、前記少なくとも1つの移動性メトリックを少なくとも1つのセルで複数回生じるようなセル変更を実行するアクセス端末の数または比率に基づいて決定するように構成される、請求項9に記載の装置。
【請求項１３】
前記少なくとも1つのプロセッサは、前記少なくとも1つの移動性メトリックを前記セルにおける接続障害またはハンドオーバ障害の数と、前記セルによってサービス提供を受けるアクセス端末の数とのうちの少なくとも1つまたは両方に基づいて決定するように構成される、請求項9に記載の装置。
【請求項１４】
前記少なくとも1つの干渉メトリックは、信号対干渉プラス雑音比(SINR)に基づく、請求項9に記載の装置。
【請求項１５】
前記少なくとも1つのプロセッサは、前記セルの前記少なくとも1つの移動性メトリックの前記値が許容可能となるまで前記セルの前記送信電力を増大させ、次いで一定の送信電力を維持するように構成される、請求項9に記載の装置。
【請求項１６】
前記少なくとも1つのプロセッサは、前記セルの前記送信電力を低減させた後に、1つまたは複数のアクセス端末を隣接するセルにハンドオーバするようにさらに構成される、請求項9に記載の装置。
【請求項１７】
小規模セルの送信電力を調整するための装置であって、
前記セルにおける少なくとも1つのアクセス端末移動性を表す少なくとも1つの移動性メトリックの値を決定するための手段と、
前記少なくとも1つの移動性メトリックの前記値が許容可能かどうかを判定するための手段と、
前記少なくとも1つの移動性メトリックの前記値が許容不可能であると判定したことに応じて、前記セルの前記送信電力を増大させるための手段と、
前記セルにある少なくとも1つのアクセス端末によって体験した干渉を表す少なくとも1つの干渉メトリックの値を決定するための手段と、
前記少なくとも1つの干渉メトリックの前記値が許容可能かどうかを判定するための手段と、
前記少なくとも1つの干渉メトリックの前記値が許容不可能でありかつ前記少なくとも1つの移動性メトリックの前記値が許容可能であると判定したことに応じて、前記少なくとも1つの移動性メトリックの前記値が許容可能のままである間は前記セルの前記送信電力を低減するための手段と
を備える装置。
【請求項１８】
前記少なくとも1つの移動性メトリックの前記値が許容可能かどうかを判定することは、前記少なくとも1つの移動性メトリックの前記値を第2のしきい値と比較することを含む、請求項17に記載の装置。
【請求項１９】
小規模セルの送信電力を調整するための非一時的コンピュータ可読媒体であって、
前記セルにおける少なくとも1つのアクセス端末移動性を表す少なくとも1つの移動性メトリックの値を決定するためのコードと、
前記少なくとも1つの移動性メトリックの前記値が許容可能かどうかを判定するためのコードと、
前記少なくとも1つの移動性メトリックの前記値が許容不可能であると判定したことに応じて、前記セルの前記送信電力を増大させるためのコードと、
前記セルにある少なくとも1つのアクセス端末によって体験した干渉を表す少なくとも1つの干渉メトリックの値を決定するためのコードと、
前記少なくとも1つの干渉メトリックの前記値が許容可能かどうかを判定するためのコードと、
前記少なくとも1つの干渉メトリックの前記値が許容不可能でありかつ前記少なくとも1つの移動性メトリックの前記値が許容可能であると判定したことに応じて、前記移動性メトリックの前記値が許容可能のままである間は前記セルの前記送信電力を低減するためのコードと
を備えた非一時的コンピュータ可読媒体。
【請求項２０】
前記少なくとも1つの移動性メトリックの前記値が許容可能かどうかを判定することは、前記少なくとも1つの移動性メトリックの前記値を第2のしきい値と比較することを含む、請求項19に記載の非一時的コンピュータ可読媒体。
【請求項２１】
前記少なくとも1つの移動性メトリックの前記値は、以前のセルでモバイルデバイスが費やした平均時間に基づく、請求項1に記載の方法。